(57)【要約】【課題】エンジンオイル補油口を燃料噴射ポンプカバーに設けて、前記エンジンオイル補油口の配置を自由に変更することができ、容易に着脱可能なエンジンオイル補油口を具備するエンジンを提供する。【解決手段】燃料噴射ポンプ２２が配設されたエンジン１であって、前記燃料噴射ポンプ２２を駆動するカム軸の側方を覆い、ギアケースカバー６に着脱可能に設けられたメンテナンス用カバー４０に、エンジンオイル補油パイプ５０を設けたものである。また、前記メンテナンス用カバー４０を正多角形状に形成し、該メンテナンス用カバー４０の各角部にネジ孔若しくはボルト孔４０ｄ・４０ｄ・・・を穿孔したものである。【選択図】図３
2008190426.tif 000002
【特許請求の範囲】
【請求項１】
燃料噴射ポンプが配設されたエンジンであって、前記燃料噴射ポンプを駆動するカム軸の側方を覆い、ギアケースカバーに着脱可能に設けられたメンテナンス用カバーに、エンジンオイル補油パイプを設けたことを特徴とするエンジン。
【請求項２】
前記メンテナンス用カバーを正多角形状に形成し、
該メンテナンス用カバーの各角部にネジ孔若しくはボルト孔を穿孔したことを特徴とする請求項１に記載のエンジン。
【請求項３】
前記メンテナンス用カバーを円形状に形成し、該メンテナンス用カバーの周囲に等間隔でネジ孔若しくはボルト孔を穿孔したことを特徴とする請求項１に記載のエンジン。
【請求項４】
前記エンジンオイル補油パイプは、
一端がメンテナンス用カバー表面に連通されて、
他端が、エンジン正面視において、メンテナンス用カバーの側方まで延設されていることを特徴とする請求項２若しくは請求項３に記載のエンジン。
【発明の詳細な説明】
【技術分野】
【０００１】
本発明は、エンジンの技術に関し、特にエンジンオイルを供給する補油口の配置に特徴を有するエンジンに関する。
【背景技術】
【０００２】
従来、エンジンにエンジンオイルを補給するためのエンジンオイル補油口は、シリンダブロック側面やギアケースなどに取り付けられている。すなわち、エンジン内部のクランクケースや燃料噴射ポンプ等の潤滑油として使用するエンジンオイルはギアケースと一体的に構成されたエンジンオイル補油口より補給されていた（特許文献１、特許文献２参照）。
【０００３】
また、従来、ギアケースを保護するためのギアケースカバー及び燃料噴射ポンプをメンテナンスするためのカバーがエンジン前面に設けられていた。前記ギアケースカバーは、ギアケースの外側を保護するためにネジやボルト等の締結具によりシリンダブロックに固設されており、その表面は略平面で構成されていた。該ギアケースカバーの表面における燃料噴射ポンプを保護する部分には略円形状の孔が開口されており、該孔を覆うために燃料ポンプ噴射カバーを設けてギアケースカバーとフランジ部にネジやボルト等の締結具で締結する構成としている。該ギアケースカバー及び燃料噴射ポンプカバーネジやボルト等の締結具を取り外すことにより、簡単に取り外し可能となっているため、ギアケース周辺のメンテナンスを容易に行うことができるよう構成されている（特許文献３参照）。
【特許文献１】特許第２６４０８３８号公報
【特許文献２】特開平１１−３４３８２８号公報
【特許文献３】特開２００５−３５１１６４号公報
【発明の開示】
【発明が解決しようとする課題】
【０００４】
しかし、従来のエンジンオイル補油口の配置では、エンジンを本機に搭載する場合に、搭載状態の違いによって、エンジンオイル補油口の向きを変更しなければならないが、エンジンオイル補油口がギアケースと一体的に構成されているため、延長管を設置しなければならなかった。
そこで本発明は、かかる課題に鑑み、エンジンオイル補油口を燃料噴射ポンプカバーに設けて、前記エンジンオイル補油口の配置を自由に変更することができ、容易に着脱可能なエンジンオイル補油口を具備するエンジンを提供する。
【課題を解決するための手段】
【０００５】
本発明の解決しようとする課題は以上の如くであり、次にこの課題を解決するための手段を説明する。
【０００６】
即ち、請求項１においては、燃料噴射ポンプが配設されたエンジンであって、前記燃料噴射ポンプを駆動するカム軸の側方を覆い、ギアケースカバーに着脱可能に設けられたメンテナンス用カバーに、エンジンオイル補油パイプを設けたものである。
【０００７】
請求項２においては、前記メンテナンス用カバーを正多角形状に形成し、該メンテナンス用カバーの各角部にネジ孔若しくはボルト孔を穿孔したものである。
【０００８】
請求項３においては、前記メンテナンス用カバーを円形状に形成し、該メンテナンス用カバーの周囲に等間隔でネジ孔若しくはボルト孔を穿孔したものである。
【０００９】
請求項４においては、前記エンジンオイル補油パイプは、一端がメンテナンス用カバー表面に連通されて、他端が、エンジン正面視において、メンテナンス用カバーの側方まで延設されているものである。
【発明の効果】
【００１０】
本発明の効果として、以下に示すような効果を奏する。
【００１１】
請求項１においては、エンジンの基幹部品を変更することなく、メンテナンス用カバーを取り替えるだけで、エンジンオイル補油パイプを具備した仕様に変更することが可能になる。
【００１２】
請求項２においては、メンテナンス用カバーの各角部をギアケースに締め付けることによって該メンテナンス用カバーをギアケースに取り付ける構成、即ちメンテナンス用カバーをギアケースに取り付けるためのネジやボルトが等間隔に螺設される構成となるため、ギアケース若しくはエンジンに対するメンテナンス用カバーの取り付け角度を容易に変更することができる。その結果、部品を追加したり取り換えたりすることなく、エンジンの使用形態に合わせて前記エンジンオイル補油パイプの方向や角度を変更することが可能になる。
【００１３】
請求項３においては、メンテナンス用カバーをギアケースに取り付けるためのネジやボルトが等間隔で螺設されるため、ギアケース若しくはエンジンに対するメンテナンス用カバーの取り付け角度を容易に変更することができる。その結果、部品を追加したり取り換えたりすることなく、エンジンの使用形態に合わせて前記エンジンオイル補油パイプの方向や角度を変更することが可能になる。
【００１４】
請求項４においては、部品を追加したり取り換えたりすることなく、エンジンの使用形態に合わせて前記エンジンオイル補油パイプの延設方向や角度を変更することが可能になり、ギアケースやメンテナンス用カバーが邪魔にならず、容易にオイルを補給することができる。
【発明を実施するための最良の形態】
【００１５】
次に、発明の実施の形態を説明する。
図１は本発明の一実施例に係るエンジンの全体的な構成を示した斜視図、図２はエンジンのギアケースカバー付近を示した正面図、図３はエンジンオイル補油パイプの正面図である。図４は燃料噴射ポンプカバー付近を示した正面図、図５はギアケースカバーの正面図、図６はエンジンオイル補油パイプの正面図である。
【００１６】
まず、エンジン１の概略構成について図１を用いて説明する。以下では、図１の矢印Ａ方向を前方として説明する。
エンジン１は中央部にシリンダブロック２が位置し、該シリンダブロック２上側にはシリンダヘッド３が載置固定され、該シリンダブロック２下側にはラダーフレーム（間座）７を介してオイルパン４が配設されている。該シリンダブロック２の一側方（本実施形態においては右方）には、燃料噴射ポンプ２２や図示しないクランクケース内で使用されるオイルを濾過するためのフィルター５等が配設されている。また、エンジン１のクランク軸１０の後端部（図１における矢印Ａ後方）には図示せぬフライホイルが一体的に固設されており、該フライホイルがフライホイルカバー１６にて覆われている。
【００１７】
前記エンジン１本体の前面には、燃料噴射ポンプ２２の駆動を担う図示せぬカム軸等で構成されるカム機構等を内包するギアケース８が取り付けられて、その前面はギアケースカバー６により覆われている。該ギアケースカバー６の前方において、前記クランク軸１０前端部には一体的に駆動プーリ１１が固設されている。該駆動プーリ１１の上方には従動プーリ１２が回動自在に枢支され、該従動プーリ１２の回動軸１７の前端部には一体的にラジエータファン３１が固設されている。該従動プーリ１２と前記駆動プーリ１１の左方にはテンションプーリ１３が枢支されている。これらのプーリ１１・１２・１３にはＶベルト等で構成されたベルト１５が巻回されており、該ベルト１５を介して駆動プーリ１１の駆動力が従動プーリ１２及びテンションプーリ１３へと伝達されて、該従動プーリ１２の回動軸１７に固設されている前記ラジエータファン３１が駆動される構成になっている。
【００１８】
前記テンションプーリ１３はエンジン補機の一つであるオルタネータ２０の駆動軸２０ａに一体的に固定されており、該オルタネータ２０はそのカバーの一部をテンションプーリ１３の支持部とする取付フランジ２０ｂとして、その下部が前記ギアケースカバー６に設けた支持部にボルト等の取付支点２１によって支持されている。
【００１９】
次に、オイルパン４のエンジン１への取り付け構造について、詳しくはオイルパン４のシリンダブロック２下方のラダーフレーム７への取り付け構造について説明する。
図１に示すように、シリンダブロック２の下方にはオイルパン４が設けられており、該オイルパン４内には潤滑油が貯溜されている。詳しくは、ボルト等によってシリンダブロック２下部にラダーフレーム７が固設され、同じくボルト等によって該ラダーフレーム７下部にオイルパン４が固設されている。該ラダーフレーム７はシリンダブロック２後端下方からギアケースカバー６下方まで延設されており、該シリンダブロック２前部に取り付けられるギアケース８はラダーフレーム７とも連結されている。
【００２０】
詳しくは、オイルパン４には、平面視における外周に図示しないボルト孔が形成されており、該ボルト孔にボルトを螺挿することにより、液体パッキンを介してオイルパン４をラダーフレーム７に固設する構成になっている。該オイルパン４は平面視において略長方形の形状を有し、上部が開口された容器に形成されており、冷間圧延鋼板等を鋳型形成することによって製造されるものである。
オイルパン４には、後面視において右下部にドレン２３が設けられており、一定期間が経過して不純物が混ざったり、酸化してしまった潤滑油をオイルパン４から排出できるようになっている。
【００２１】
前記ギアケースカバー６の構造について図５を用いて説明する。
前記ギアケースカバー６は前記のとおり、燃料噴射ポンプ２２や油圧ポンプや冷却水ポンプ等を駆動するためのギアや軸等を収納するギアケース８の前面を覆う構成となっており、ギアケース８内部を保護している。前記ギアケースカバー６は、表面部６ａの周囲にギアケース８に固定するための締結孔６ｅ・６ｅ・・・が所定間隔を開けて設けられ、表面部６ａの中央下部にクランク軸を貫通するための開口部６ｆを設け、左上部に燃料噴射ポンプ２２のメンテナンスを行うための開口部６ｃが設けられ、該開口部６ｃの周囲にフランジ部を形成して後述する燃料噴射ポンプカバー（メンテナンス用カバー）４０の締結孔４０ｄ・４０ｄ・・・と一致させて締結孔６ｄ・６ｄ・・・を一定間隔開けて設けられている。そして、ギアケースカバー６の背面には補強用の図示せぬリブが構成されている。
【００２２】
次に、ギアケースカバー６に着脱可能に設けるメンテナンス用のカバーである燃料噴射ポンプカバー４０について説明する。
該燃料噴射ポンプカバー４０は図３に示すように、前記ギアケースカバー６の上部一側に開口した開口部６ｃを覆うようにボルトもしくはネジ等の締結具によって着脱可能に固設されており、通常は燃料噴射ポンプ２２を保護し、燃料噴射ポンプ２２やギアケース８のメンテナンス時には容易に取り外すことができる構成となっている。
【００２３】
前記燃料噴射ポンプカバーの構造について図２乃至図４を用いて説明する。
前記燃料噴射ポンプカバー４０は図３に示すように前面視正六角形状に構成しており、正六角形の各頂点に締結具としてのボルトもしくはネジ等の締結具が螺設されるためのボルト孔若しくはネジ孔である締結孔４０ｄ・４０ｄ・・・が穿設されている。該締結孔４０ｄと燃料噴射ポンプカバー４０の後面に設けたギアケースカバー６の開口部６ｃ周囲に穿設した締結孔６ｄ・６ｄ・・・とをボルトもしくはネジ等の締結具によって締結することにより、前記燃料噴射ポンプカバー４０をギアケースカバー６に固設することが可能となっており、通常は燃料噴射ポンプ２２を保護し、前記ボルトもしくはネジ等の締結具を取り外すことにより、燃料噴射ポンプ２２やギアケース８のメンテナンス時には燃料噴射ポンプカバー４０を容易に取り外すことができる構成となっている。
【００２４】
一方、燃料噴射ポンプカバー４０には、エンジンオイル（潤滑油）を補給するエンジンオイル補油パイプ５０が設けられている。前記エンジンオイル補油パイプ５０は図３の手前側（エンジン外側）へと延設されており、該エンジンオイル補油パイプ５０の一端が燃料噴射ポンプカバー４０に連通されており、ギアケースカバー６内部へとエンジンオイルを給油することが可能となっている。また、エンジンオイル補油パイプ５０は側面視略Ｌ字状に折り曲げて、その他端は、ギアケース８と冷却ファン３１の間に配置され、正面視において、先端（補油口５０ａ）が燃料噴射ポンプカバー４０よりも外側に位置するように延設されている。そして、前記エンジンオイル補油パイプ５０の先端がエンジン本体から斜め上側方へ突出させて、エンジンオイルを容易に給油することが可能となる。
該エンジンオイル補油パイプ５０の他端側が補油口５０ａとなっており、該補油口５０ａはキャップ５０ｂによって開閉できる構成となっている。
【００２５】
本発明にかかる燃料噴射ポンプカバー４０は前面視正六角形で構成されており、正六角形の各頂点に締結孔４０ｄが設けられているため、６０度ずつ角度を変更することにより、回転前の締結孔４０ｄの位置と回転後の締結孔４０ｄの位置を一致させることが可能となっている。換言すれば、前記燃料噴射ポンプカバーは六回回転対称性を有することとなる。
従って、前記エンジンオイル補油パイプ５０の角度を６０度ずつ変更することが可能となっているため、図４の二点鎖線で示すように、エンジンオイル補油パイプ５０を上方に向けたり、斜め右上方に向けたりすることが可能となり、エンジン１の形状や本機に搭載する際の状態に合わせてエンジンオイル補油パイプ５０の位置を変更することが可能となっている。このように構成することにより、使用者の要望に合わせて、エンジンオイル補油パイプ５０の位置を自由に変更することが可能となる。
なお、本実施例では燃料噴射ポンプカバー４０を前面視正六角形で構成しているが、正多角形で構成されていれば、頂点の数は特に限定するものではない。
【００２６】
また、図６に示すように、前記燃料噴射ポンプカバー４０をエンジン前面視円形状に構成することも可能である。本実施例では、円周の内側に六個の締結孔４０ｄ・４０ｄ・・・が穿設されている。該締結孔４０ｄと燃料噴射ポンプカバー４０の後面に設けたギアケースカバー６の開口部６ｃ周辺に穿設した締結孔６ｄ・６ｄ・・・とをボルトもしくはネジ等の締結具によって締結することにより、前記燃料噴射ポンプカバー４０をギアケースカバー６に固設することが可能となっており、通常は燃料噴射ポンプ２２を保護し、前記ボルトもしくはネジ等の締結具を取り外すことにより、燃料噴射ポンプ２２やギアケース８のメンテナンス時には燃料噴射ポンプカバー４０を容易に取り外すことができる構成となっている。
【００２７】
前記締結孔４０ｄは、図６に示すように、二点鎖線で示す同一円上に配置されており、隣接する締結孔４０ｄと成す中心角が全て等しく構成されている。このように構成することにより、前記燃料噴射ポンプカバー４０ｄを一定の角度ずつ回転させることで、回転前の締結孔４０ｄの位置と回転後の締結孔４０ｄの位置を一致させることが可能となる。例えば、図６では六個の締結孔４０ｄが設けられているので、６０度ずつ回転させることにより、回転前の締結孔４０ｄの位置と回転後の締結孔４０ｄの位置を一致させることが可能となっている。換言すれば、前記燃料噴射ポンプカバーは六回回転対称性を有することとなる。
従って、前記燃料噴射ポンプカバー４０に設けたエンジンオイル補油パイプ５０の角度を６０度ずつ変更することが可能となっているため、エンジンの形状や本機に搭載する際の状態に合わせてエンジンオイル補油パイプ５０の位置を変更することが可能となっている。このように構成することにより、使用者の要望に合わせて、エンジンオイル補油パイプ５０の位置を自由に変更することが可能となる。
なお、本実施例では、燃料噴射ポンプカバーを円形で構成し、円周の内側に等間隔で配置した締結孔の数を六個としているが、締結孔は、円周の内側の同一円上に配置されており、隣接する締結孔と成す中心角が全て等しく構成されていれば、特に数量について限定するものではない。
換言すれば、締結孔が同一円上に配置される構成であって、円の中心点を基準に回転したときに、回転前の形状と重なることができる形状であれば、すなわち、複数の回転対称性を有する形状であれば、燃料噴射ポンプカバーの形状は円、多角形に限定するものではない。
【００２８】
以上のように、本発明にかかるエンジン１は、燃料噴射ポンプ２２が配設されたエンジン１であって、前記燃料噴射ポンプ２２を駆動するカム軸の側方を覆い、ギアケースカバー６に着脱可能に設けられたメンテナンス用カバー４０に、エンジンオイル補油パイプ５０を設けたものである。このように構成することにより、エンジンの基幹部品を変更することなく、メンテナンス用カバーを取り替えるだけで、エンジンオイル補油パイプを具備した仕様に変更することが可能になる。
【００２９】
また、前記メンテナンス用カバー４０を正多角形状に形成し、該メンテナンス用カバー４０の各角部にネジ孔若しくはボルト孔４０ｄ・４０ｄ・・・を穿孔したものである。このように構成することにより、メンテナンス用カバーの各角部をギアケースに締め付けることによって該メンテナンス用カバーをギアケースに取り付ける構成、即ちメンテナンス用カバーをギアケースに取り付けるためのネジやボルトが等間隔に螺設される構成となるため、ギアケース若しくはエンジンに対するメンテナンス用カバーの取り付け角度を容易に変更することができる。その結果、部品を追加したり取り換えたりすることなく、エンジンの使用形態に合わせて前記エンジンオイル補油パイプの方向や角度を変更することが可能になる。
【００３０】
また、別の実施例においては、前記メンテナンス用カバー４０を円形状に形成し、該メンテナンス用カバー４０の周囲に等間隔でネジ孔若しくはボルト孔４０ｄ・４０ｄ・・・を穿孔したものである。このように構成することにより、メンテナンス用カバーをギアケースに取り付けるためのネジやボルトが等間隔で螺設されるため、ギアケース若しくはエンジンに対するメンテナンス用カバーの取り付け角度を容易に変更することができる。その結果、部品を追加したり取り換えたりすることなく、エンジンの使用形態に合わせて前記エンジンオイル補油パイプの方向や角度を変更することが可能になる。
【００３１】
また、前記エンジンオイル補油パイプ５０は、一端がメンテナンス用カバー４０表面に連通されて、他端が、エンジン正面視において、メンテナンス用カバー４０の側方まで延設されているものである。このように構成することにより、部品を追加したり取り換えたりすることなく、エンジンの使用形態に合わせて前記エンジンオイル補油パイプの延設方向や角度を変更することが可能になり、ギアケースやメンテナンス用カバーが邪魔にならず、容易にオイルを補給することができる。
【図面の簡単な説明】
【００３２】
【図１】本発明の一実施例に係るエンジンの全体的な構成を示した斜視図。
【図２】エンジンのギアケースカバー付近を示した正面図。
【図３】エンジンオイル補油パイプの正面図。
【図４】燃料噴射ポンプカバー付近を示した正面図。
【図５】ギアケースカバーの正面図。
【図６】エンジンオイル補油パイプの正面図。
【符号の説明】
【００３３】
１    エンジン
２    シリンダブロック
５    ギアケースカバー
６    ギアケース
４０    燃料噴射ポンプカバー
５０    エンジンオイル補油パイプ
【図２】
2008190426.tif 000003
【図３】
2008190426.tif 000004
【図４】
2008190426.tif 000005
【図５】
2008190426.tif 000006
【図６】
2008190426.tif 000007
【図１】
2008190426.tif 000008